(57)【要約】【課題】  従来からの移動通信端末に対する機能追加という点で、位置に応じた自動発呼を容易に実現する。【解決手段】  自動発呼管理サーバ１０は、発呼端末４０ａを特定する端末情報に対応付けて、着呼端末４０ｂを特定する相手端末情報及び位置の範囲を示す範囲情報を予め記憶する記憶部１１と、発呼端末４０ａの位置を示す位置情報を取得する位置情報取得部１２と、位置情報取得部１２により取得された発呼端末４０ａの位置情報で示される位置が、記憶部１１に記憶される、発呼端末４０ａの端末情報に対応付けられた範囲情報で示される位置の範囲に含まれるか否かを判断する位置判断部１３と、発呼端末４０ａの位置が上記範囲に含まれると判断された場合に、発呼端末４０ａ及び着呼端末４０ｂに呼接続を確立させるための発呼信号を送信する制御を行う呼接続制御部１４とを備える。【選択図】  図１
2009094893.tif 000002
【特許請求の範囲】
【請求項１】
移動通信端末を特定する端末情報に対応付けて、通信相手先の端末を特定する相手端末情報及び位置の範囲を示す範囲情報を予め記憶する記憶部と、
移動通信端末の位置を示す位置情報を取得する位置情報取得手段と、
前記位置情報取得手段により取得された移動通信端末の位置情報で示される位置が、前記記憶部に記憶される、当該移動通信端末の端末情報に対応付けられた範囲情報で示される位置の範囲に含まれるか否かを判断する位置判断手段と、
前記位置判断手段により前記位置情報で示される位置が前記範囲情報で示される位置の範囲に含まれると判断された場合に、前記移動通信端末及び前記記憶部に記憶される前記相手端末情報で特定される前記通信相手先の端末に、当該移動通信端末と当該通信相手先の端末との間に呼接続を確立させるための発呼信号を送信する制御を行う呼接続制御手段と、
を備える自動発呼システム。
【請求項２】
前記位置情報取得手段は、前記移動通信端末と通信を行っている基地局を特定する情報を取得して、当該基地局が予め設定された基地局であった場合に、当該移動通信端末に対してＧＰＳによる測位を要求してＧＰＳによる測位結果を前記位置情報として取得することを特徴とする請求項１に記載の自動発呼システム。
【請求項３】
移動通信端末を特定する端末情報に対応付けて、通信相手先の端末を特定する相手端末情報及び位置の範囲を示す範囲情報を予め記憶する記憶部を備える自動発呼システムにおける自動発呼方法であって、
移動通信端末の位置を示す位置情報を取得する位置情報取得ステップと、
前記位置情報取得ステップにおいて取得された移動通信端末の位置情報で示される位置が、前記記憶部に記憶される、当該移動通信端末の端末情報に対応付けられた範囲情報で示される位置の範囲に含まれるか否かを判断する位置判断ステップと、
前記位置判断ステップにおいて前記位置情報で示される位置が前記範囲情報で示される位置の範囲に含まれると判断された場合に、前記移動通信端末及び前記記憶部に記憶される前記相手端末情報で特定される前記通信相手先の端末に、当該移動通信端末と当該通信相手先の端末との間に呼接続を確立させるための発呼信号を送信する制御を行う呼接続制御ステップと、
を含む自動発呼方法。
【発明の詳細な説明】
【技術分野】
【０００１】
本発明は、移動通信端末の位置に応じた自動発呼を行わせる自動発呼システム及び自動発呼方法に関する。
【背景技術】
【０００２】
従来から、移動通信端末が自身の位置を検出して、当該位置が予め設定した範囲に入っていた場合、自動的に発信を行うシステムが知られている（例えば、特許文献１参照）。
【特許文献１】特開２００２−２６２３５４号公報
【発明の開示】
【発明が解決しようとする課題】
【０００３】
上記のシステムにおいては、検出された位置が自動発信を行うべき位置であるか否かを判断して、自動的に発信を行うための機能を移動通信端末が備えていることが必要となる。また、通信相手先の端末との間に呼接続を確立させるための発呼信号を移動通信端末から自動的に送信した場合、発呼を行ったことを移動通信端末のユーザに通知する機能を有している必要がある。通常、携帯電話機等の移動通信端末には、発呼時にユーザに通知を行う機能は備えられていない。即ち、上述したような従来技術に係る自動発信を行うシステムでは、移動通信端末に多くの追加機能が必要となる。
【０００４】
本発明は、以上の問題点を解決するためになされたものであり、従来からの移動通信端末に対する機能追加という点で、位置に応じた自動発呼を容易に実現することができる自動発呼システム及び自動発呼方法を提供することを目的とする。
【課題を解決するための手段】
【０００５】
上記目的を達成するために、本発明に係る自動発呼システムは、移動通信端末を特定する端末情報に対応付けて、通信相手先の端末を特定する相手端末情報及び位置の範囲を示す範囲情報を予め記憶する記憶部と、移動通信端末の位置を示す位置情報を取得する位置情報取得手段と、位置情報取得手段により取得された移動通信端末の位置情報で示される位置が、記憶部に記憶される、当該移動通信端末の端末情報に対応付けられた範囲情報で示される位置の範囲に含まれるか否かを判断する位置判断手段と、位置判断手段により位置情報で示される位置が範囲情報で示される位置の範囲に含まれると判断された場合に、移動通信端末及び記憶部に記憶される相手端末情報で特定される通信相手先の端末に、当該移動通信端末と当該通信相手先の端末との間に呼接続を確立させるための発呼信号を送信する制御を行う呼接続制御手段と、を備えることを特徴とする。
【０００６】
本発明に係る自動発呼システムによれば、移動通信端末が予め設定された位置の範囲に位置していた場合、当該移動通信端末及び通信相手先の端末に発呼信号が送信される。当該移動通信端末及び当該通信相手先の端末は、送信された発呼信号に対してそれぞれ応答を行うことによって呼接続が確立される。ここで、位置に応じて発呼が行われる移動通信端末は、自端末から発呼しておらず、着呼することにより実質的な発呼を行っている。また、移動通信端末では、通常の端末が備える機能である、着呼した際のユーザへの通知により、実質的な発呼を行ったことがユーザに通知される。上記のように、移動通信端末には、自動的に発呼を行う機能、及び自動発呼を行ったことをユーザに通知するための機能が備えられている必要がない。即ち、本発明によれば、従来からの移動通信端末に対する機能追加という点で、位置に応じた自動発呼を容易に実現することができる。
【０００７】
位置情報取得手段は、移動通信端末と通信を行っている基地局を特定する情報を取得して、当該基地局が予め設定された基地局であった場合に、当該移動通信端末に対してＧＰＳ（Global Positioning System）による測位を要求してＧＰＳによる測位結果を位置情報として取得することが望ましい。この構成によれば、詳細な位置が必要な場合のみにＧＰＳによる測位で移動通信端末の位置情報を取得することができる。即ち、本構成によれば、詳細な位置に応じた自動発呼を容易に実現することができる。
【０００８】
ところで、本発明は、上記のように自動発呼システムの発明として記述できる他に、以下のように自動発呼システムにおける自動発呼方法の発明としても記述することができる。これはカテゴリが異なるだけで、実質的に同一の発明であり、同様の作用及び効果を奏する。
【０００９】
即ち、本発明に係る自動発呼方法は、移動通信端末を特定する端末情報に対応付けて、通信相手先の端末を特定する相手端末情報及び位置の範囲を示す範囲情報を予め記憶する記憶部を備える自動発呼システムにおける自動発呼方法であって、移動通信端末の位置を示す位置情報を取得する位置情報取得ステップと、位置情報取得ステップにおいて取得された移動通信端末の位置情報で示される位置が、記憶部に記憶される、当該移動通信端末の端末情報に対応付けられた範囲情報で示される位置の範囲に含まれるか否かを判断する位置判断ステップと、位置判断ステップにおいて位置情報で示される位置が範囲情報で示される位置の範囲に含まれると判断された場合に、移動通信端末及び記憶部に記憶される相手端末情報で特定される通信相手先の端末に、当該移動通信端末と当該通信相手先の端末との間に呼接続を確立させるための発呼信号を送信する制御を行う呼接続制御ステップと、を含むことを特徴とする。
【発明の効果】
【００１０】
本発明によれば、移動通信端末には、自動的に発呼を行う機能、及び自動発呼を行ったことをユーザに通知するための機能が備えられている必要がない。即ち、本発明によれば、従来からの移動通信端末に対する機能追加という点で、位置に応じた自動発呼を容易に実現することができる。
【発明を実施するための最良の形態】
【００１１】
以下、図面とともに本発明に係る自動発呼システム及び自動発呼方法の好適な実施形態について詳細に説明する。なお、図面の説明においては同一要素には同一符号を付し、重複する説明を省略する。
【００１２】
図１に本実施形態に係る自動発呼システムである自動発呼管理サーバ１０を示す。自動発呼管理サーバ１０は、移動体通信網Ｎに含まれている。移動体通信網Ｎは、移動通信端末４０の接続対象であり、移動通信端末４０に対して移動体通信の機能を提供する。移動体通信網Ｎは、上記の自動発呼管理サーバ１０と、ＰｏＣ（Push to Talk over Cellular）サーバ２０と、ＬＭＭＳ（Local Mobile Multimediaswitching System）３０とを含んでいる。なお、移動体通信網Ｎは、上記の構成要素以外にも、基地局及び無線制御装置等の通常の移動体通信網を構成する構成要素を有している。
【００１３】
自動発呼管理サーバ１０は、移動通信端末４０の位置に応じた自動発呼を行う装置である。本発明に係る自動発呼管理サーバ１０の当該機能については、より詳細に後述する。ＰｏＣサーバ２０は、移動体通信網Ｎに接続される移動通信端末４０に対して、移動体通信網Ｎを介したＰＴＴ（Push to Talk）の機能を提供するサーバである。具体的には、ＰｏＣサーバ２０は、移動通信端末４０から発呼依頼を受け付けて、通信相手先の端末４０に発呼信号を送信して、端末４０間の呼接続を確立させる。自動発呼管理サーバ１０の制御による自動発呼は、ＰｏＣに係る発呼である。本実施形態では、ＰｏＣサーバ２０は、後述するように自動発呼管理サーバ１０から発呼依頼を受け付けて発呼処理を行う。なお、ＰＴＴでは、３台以上の端末間に呼接続を確立させて、通信を行わせることができる。ＬＭＭＳ３０は、移動体通信網Ｎの機能を担うシステムであり、移動通信端末４０が通信を行っている基地局を特定する情報を保持している。
【００１４】
移動通信端末４０は、ユーザに所持され、移動体通信により移動体通信網Ｎに接続する機能を有する装置である。移動通信端末４０は、ＰｏＣサーバ２０により別の端末４０との間でＰＴＴの呼接続を確立して、音声通信を行う。また、所定の移動通信端末４０は、自動発呼管理サーバ１０の機能による位置に応じた自動発呼の対象となる。また、自動発呼の対象となる移動通信端末４０は、自端末を測位して、自端末の位置情報（例えば、緯度及び経度の情報）を取得する測位手段を有している。具体的には例えば、当該移動通信端末４０は、ＧＰＳによる測位手段を有している。また、自動発呼の対象となる移動通信端末４０は、自動発呼管理サーバ１０での設定を登録する登録手段を有している。
【００１５】
引き続いて、本実施形態に係る自動発呼管理サーバ１０の機能をより詳細に説明する。図１に示すように自動発呼管理サーバ１０は、記憶部１１と、位置情報取得部１２と、位置判断部１３と、呼接続制御部１４とを備えて構成される。また、自動発呼管理サーバ１０は、ＰｏＣサーバ２０及びＬＭＭＳ３０と接続されており、それぞれの装置間で情報の送受信を行うことができる。
【００１６】
記憶部１１は、位置に応じた自動発呼に係る設定の情報を予め記憶する部分である。具体的には、まず、記憶部１１は、位置に応じた自動発呼を行う対象である移動通信端末４０を特定する端末情報を記憶している。記憶部４０は、当該端末情報に対応付けて、通信相手先の移動通信端末４０を特定する相手端末情報及び位置の範囲を示す範囲情報を記憶する。
【００１７】
端末情報及び相手端末情報としては、例えば、移動通信端末４０の電話番号が用いられる。ここで、位置の範囲は、移動通信端末４０がその範囲に位置していた場合に自動発呼を行う範囲である。範囲情報としては、移動通信端末４０が通信を行っている基地局を特定する情報（基地局ＩＤ等）及び当該範囲の中心となる緯度及び経度等の範囲の中心となる位置を示す情報等が用いられる。
【００１８】
記憶部１１は、具体的には、図２に示すようなテーブルに情報を格納することにより情報を記憶する。記憶部１１は、図２（ａ）に示すように、位置に応じた自動発信を行う対象である移動通信端末４０ａ（発呼端末４０ａ（本実施形態では、移動通信端末４０から直接発呼が行われるわけではないが便宜上こう呼ぶ））の電話番号（図２では“090xxxxxxxx”）に、範囲情報を対応付けて格納している。図２（ａ）の情報は、発呼端末欄の電話番号の移動通信端末４０ａが範囲情報で示される範囲に位置していた場合に自動発呼が行われることを示している。範囲情報は、複数、格納されていてもよい。図２（ａ）では、範囲情報として、範囲情報のＩＤである「位置情報」（図２では“位置Ａ”，“位置Ｂ”，“位置Ｃ”）と、ＧＰＳによる測位結果と比較する位置情報である「ＧＰＳ」（図２（ａ）では、“N***.**.**.**E***.**.**.**”）と、基地局を特定する情報である「ＢＴＳ」（図２（ａ）では、“ｘｘｘ”，“ｙｙｙ”，“ｚｚｚ”）とを、それぞれ対応付けて記憶している。なお、ＧＰＳによる測位結果と比較する位置情報「ＧＰＳ」は、その位置を中心として予め設定された距離とで位置の範囲を示している。
【００１９】
また、記憶部１１は、図２（ｂ）に示すように、発呼端末４０ａの電話番号及び範囲情報に対応付けて、通信相手先の移動通信端末４０ｂ（着呼端末４０ｂ）の相手端末情報（図２（ｂ）では、“090yyyyyyyy”，“090zzzzzzzz”，“090qqqqqqqq”）を格納している。図２（ｂ）の情報は、発呼端末欄の電話番号の移動通信端末４０ａが（図２（ａ）の）範囲情報で示される範囲に位置していた場合に、着呼端末欄の電話番号の移動通信端末４０ｂに自動発呼が行われることを示している。相手端末情報は、複数であってもよい。その場合、複数の着呼端末４０ｂに対して発呼が行われる。また、ここで、相手端末情報に対応付けられる範囲情報は、図２（ａ）で記憶される範囲情報のうち、すくなくとも何れか一つである。別の範囲情報に対しては、別の相手端末情報が対応付けられて記憶される。
【００２０】
記憶部１１は、発呼端末４０ａ等の移動通信端末４０又はその他の端末から、図２に示すテーブルに格納される情報が登録情報として送信された場合、それらの情報を図２に示すテーブルに格納することにより登録（記憶）する。
【００２１】
位置情報取得部１２は、発呼端末４０ａの位置を示す位置情報を取得する位置情報取得手段である。位置情報取得部１２は、記憶部１１に記憶された記憶を参照して、どの移動通信端末４０の位置情報を取得すべきかを把握する。位置情報取得部１２は、記憶部１１に発呼端末４０ａとして記憶されている移動通信端末４０を、位置情報を取得すべき移動通信端末４０とする。まず、位置情報取得部１２は、発呼端末４０ａが通信を行っている基地局を特定する情報を、ＬＭＭＳ３０から取得する。続いて、位置情報取得部１２は、記憶部１１が図２（ａ）のテーブルにて記憶している、当該発呼端末４０ａに対応付けられている基地局を特定する情報のうち、取得した情報と一致するものがあるか否か判断する。
【００２２】
位置情報取得部１２は、当該発呼端末４０ａに対応付けられている基地局を特定する情報のうち取得した情報と一致するものがあると判断した場合、即ち、発呼端末４０ａと通信している基地局が予め設定された基地局であった場合、発呼端末４０ａに対してＧＰＳによる測位を要求してＧＰＳによる測位結果を位置情報として取得する。位置情報取得部１２は、当該発呼端末４０ａに対応付けられている基地局を特定する情報のうち取得した情報と一致するものがないと判断した場合、発呼端末４０ａが通信を行っている基地局を特定する情報の、ＬＭＭＳ３０からの取得を継続する。当該情報の取得は、例えば、一定時間間隔等、継続的に行われる。位置情報取得部１２は、発呼端末４０ａのＧＰＳによる測位結果である位置情報を位置判断部１３に出力する。
【００２３】
位置判断部１３は、位置情報取得部１２によりに取得された発呼端末４０ａの位置情報で示される位置が、記憶部１１に記憶される、当該発呼端末４０ａの端末情報に対応付けられた範囲情報で示される位置の範囲に含まれるか否かを判断する位置判断手段である。具体的には、位置判断部１３は、位置情報取得部１２において発呼端末４０ａが通信を行っている基地局とされた基地局を特定する情報に（図２（ａ）のテーブルにおいて）対応するＧＰＳによる位置情報を、記憶部１１から取得する（具体的には、図２（ａ）のテーブルにおいて、「ＢＴＳ」が“ｘｘｘ”だった場合、“位置Ａ”の「ＧＰＳ」の欄の情報が取得される）。続いて、位置判断部１３は、記憶部１１から取得した位置情報で示される位置と、位置情報取得部１２によりに取得された位置情報で示される位置との間の距離を算出する。位置判断部１３は、算出した距離が所定の閾値以下であるか否かを判定して、閾値以下であった場合に、発呼端末４０ａの位置が上記の範囲情報で示される位置の範囲に含まれると判断する。この閾値は、予め定められた値であり、位置判断部１３あるいは記憶部１１に予め設定されて記憶されている。
【００２４】
位置判断部１３は、発呼端末４０ａの位置が上記の範囲情報で示される位置の範囲に含まれると判断した場合、その旨を呼接続制御部１４に通知する。位置判断部１３は、当該通知時に発呼端末４０ａの電話番号及びどの範囲に位置していたかの情報（図２（ａ）及び（ｂ）における「位置情報」）を併せて出力する。
【００２５】
呼接続制御部１４は、位置判断部１３から上記の通知が行われた場合に、発呼端末４０ａ及び発呼端末４０ａの位置に応じた着呼端末４０ｂとの間に呼接続を確立させる制御を行う呼接続制御手段である。具体的には、呼接続制御部１４は、位置判断部１３から上記の通知を受けると、通知と併せて出力された発呼端末４０ａの電話番号及びどの範囲に位置していたかの情報に対応する着呼端末４０ｂの電話番号を、記憶部１１の図２（ｂ）のテーブルから取得する。続いて、呼接続制御部１４は、ＰｏＣサーバ２０に対して、発呼端末４０ａ及び着呼端末４０ｂに発呼信号を送信するように発呼依頼を行う。ＰｏＣサーバ２０は、自動発呼管理サーバ１０から発呼依頼を受けると、発呼端末４０ａ及び着呼端末４０ｂ間にＰＴＴの呼接続を確立させるための発呼信号を、当該発呼端末４０ａ及び着呼端末４０ｂに送信する。
【００２６】
以上が本実施形態に係る自動発呼管理サーバ１０の機能構成である。引き続いて、図３に本実施形態に係る自動発呼管理サーバ１０のハードウェア構成を示す。図３に示すように、自動発呼管理サーバ１０は、ＣＰＵ（Central Processing Unit）１０１、主記憶装置であるＲＡＭ（Random Access Memory）１０２及びＲＯＭ（ReadOnly Memory）１０３、ネットワークカード等のデータ送受信デバイスである通信モジュール１０４、並びにハードディスク等の補助記憶装置１０５等のハードウェアを備えるコンピュータとして構成される。これらの構成要素が動作することにより、上述した自動発呼管理サーバ１０の機能が発揮される。
【００２７】
引き続いて、図４のシーケンス図を用いて本実施形態に係る自動発呼管理サーバ１０により実行される処理（自動発呼方法）について説明する。まず、発呼端末４０ａから自動発呼管理サーバ１０の記憶部１１に記憶される情報の登録の処理について説明し、その後、自動発呼が行われる処理を説明する。
【００２８】
発呼端末４０ａとなる移動通信端末４０では、ユーザの操作等により、自動発呼により発呼を行う着呼端末４０ｂの電話番号の入力が受け付けられる（Ｓ０１）。ここで、着呼端末４０ｂの電話番号は、複数（グループ）でもよい。着呼端末４０ｂの電話番号として入力された電話番号は、発呼端末４０ａから送信されて、自動発呼管理サーバ１０により受信される（Ｓ０２）。なお、この送信は、発呼端末４０ａの電話番号が、自動発呼管理サーバ１０に把握される形で（例えば、着呼端末４０ｂの電話番号に発呼端末４０ａの電話番号に付加されて）行われる（下記のＳ０４でも同様である）。
【００２９】
また、発呼端末４０ａでは、ユーザの操作等により、自動発呼が行われるべき位置を示す情報が入力される（Ｓ０３）。自動発信が行われるべき位置としては、ユーザの使用形態によるが、例えば、待ち合わせ場所や仕事相手先の場所等がある。入力された位置情報は、発呼端末４０ａから送信されて、自動発呼管理サーバ１０により受信される（Ｓ０４）。この際、自動発呼管理サーバ１０では、送信される位置情報に係る位置に発呼端末４０ａが位置していた場合に、発呼端末４０ａが通信する基地局を特定する情報が合わせて取得される。基地局を特定する情報の取得方法としては、例えば、ユーザに入力されて発呼端末４０ａから送信されてもよいし、自動発呼管理サーバ１０において予めどの位置にどの基地局に対応するかの対応情報が保持されていて当該対応情報に基づいて取得してもよい。
【００３０】
上記の処理により自動発呼管理サーバ１０では、発呼端末４０ａの電話番号、着呼端末４０ｂの電話番号、並びに範囲情報としての基地局の情報及びＧＰＳによる測位結果情報が取得されたこととなるので、それらの情報がそれぞれ対応付けられて図２に示す記憶部１１のテーブルに格納され、情報の登録が完了する（Ｓ０５）。以上が、情報の登録の処理である。なお、上記の発呼端末４０ａからの情報の登録処理は必ず行われる必要はなく、例えば、自動発呼管理サーバ１０に、ユーザ等により直接、登録用の情報の入力が行われて登録処理が行われてもよい。
【００３１】
引き続いて、自動発呼が行われる処理を説明する。まず、自動発呼管理サーバ１０では、位置情報取得部１２によって、記憶部１１に記憶されている情報から位置情報を取得する発呼端末４０ａが特定される。続いて、位置情報取得部１２によって、ＬＭＭＳ３０に対して、特定された発呼端末４０ａが通信を行っている基地局を特定する情報（在圏位置情報）が要求される（Ｓ０６、位置情報取得ステップ）。
【００３２】
続いて、当該要求に応じて、ＬＭＭＳ３０から自動発呼管理サーバ１０に、発呼端末４０ａが通信を行っている基地局を特定する情報が送信される。自動発呼管理サーバ１０では、位置情報取得部１２によって、上記の情報が受信されて取得される（Ｓ０７、位置情報取得ステップ）。続いて、位置情報取得部１２によって、記憶部１１が図２（ａ）のテーブルにて記憶している、当該発呼端末４０ａに対応付けられている基地局を特定する情報のうち、受信した情報と一致するものがあるか否かが判断される。即ち、設定された基地局の配下に発呼端末４０ａが在圏しているか否かが判断される（Ｓ０８、位置情報取得ステップ）。
【００３３】
上記の判断により、記憶部１１に記憶される基地局を特定する情報に、受信した情報が含まれない、即ち、設定された基地局の配下に発呼端末４０ａが在圏していないと判断された場合、再度、位置情報取得部１２によって、ＬＭＭＳ３０から発呼端末４０ａが通信を行っている基地局を特定する情報が取得される（Ｓ０６，Ｓ０７）。この取得は、前の情報の取得から所定の時間間隔を取って行われる。
【００３４】
上記の判断により、記憶部１１に記憶される基地局を特定する情報に、受信した情報が含まれる、即ち、設定された基地局の配下に発呼端末４０ａが在圏していると判断された場合、位置情報取得部１２から発呼端末４０ａに対して、ＧＰＳによる測位が要求される（Ｓ０９、位置情報取得ステップ）。発呼端末４０ａでは、ＧＰＳによる測位の要求が受信されて、ＧＰＳによる自端末４０ａの測位が行われる（Ｓ１０）。測位により得られた発呼端末４０ａの位置情報は、発呼端末４０ａから自動発呼管理サーバ１０に送信される。自動発呼管理サーバ１０では、位置情報取得部１２により、当該ＧＰＳによる測位結果が受信されて、位置情報として取得される（Ｓ１１、位置情報取得ステップ）。取得された位置情報は、位置情報取得部１２から位置判断部１３に出力される。
【００３５】
続いて、自動発呼管理サーバ１０では、位置判断部１３によって、取得された発呼端末４０ａの位置情報で示される位置が、記憶部１１に記憶される当該発呼端末４０ａの端末情報に対応付けられた範囲情報で示される位置の範囲に含まれるか否かが判断される。即ち、発呼端末４０ａが所定の範囲内に位置しているか否かが判断される（Ｓ１２、位置判断ステップ）。
【００３６】
上記の判断により、発呼端末４０ａが所定の範囲内に位置していないとされた場合、再度、発呼端末４０ａからＧＰＳによる測位結果を受信して、上記の判断を行う（Ｓ１１，Ｓ１２）。なお、発呼端末４０ａでは、ＧＰＳによる自端末４０ａの測位が繰り返し行われて、測位結果が自動発呼管理サーバ１０に送信される。発呼端末４０ａでは、通信する基地局が変更した場合（ハンドオーバした場合）や自動発呼管理サーバ１０から指示があった場合に、ＧＰＳによる測位を中止する。
【００３７】
上記の判断により、発呼端末４０ａが所定の範囲内に位置しているとされた場合、その旨が位置判断部１３から呼接続制御部１４に通知される。続いて、当該通知が行われた呼接続制御部１４によって、発呼端末４０ａ及び発呼端末４０ａの位置に応じた着呼端末４０ｂに発呼信号を送信するように、ＰｏＣサーバ２０に対して発呼依頼が行われる（Ｓ１３、呼接続制御ステップ）。
【００３８】
続いて、発呼依頼を受信したＰｏＣサーバ２０によって、発呼依頼に応じて、発呼端末４０ａ及び着呼端末４０ｂに発呼信号（例えば、ＩＮＶＩＴＥ）が送信される（Ｓ１４）。また、発呼信号は、自動発呼管理サーバ１０にも送信される。発呼端末４０ａ及び着呼端末４０ｂでは、送信された発呼信号が受信されて、発呼信号に応じた処理が行われる。即ち、発呼端末４０ａ及び着呼端末４０ｂでは、鳴動音等で着呼があったことをユーザに通知する。ここで、従来のＰｏＣの処理と同様に、ユーザの操作等により発呼信号が送信された各端末４０ａ，４０ｂから応答が行われることによって、各端末４０ａ，４０ｂ間の呼接続が確立されて、グループ通話が開始される（Ｓ１５）。
【００３９】
また、呼接続は各端末４０ａ，４０ｂと自動発呼管理サーバ１０との間にも確立されて、各端末４０ａ，４０ｂから発呼信号に応答があった場合に自動発呼管理サーバ１０から各端末４０ａ，４０ｂに、当該発呼が発呼端末４０ａの位置に応じたものである旨のガイダンスが行われてもよい。
【００４０】
上述したように本実施形態によれば、位置に応じて発呼が行われる発呼端末４０ａは、自端末４０ａから発呼しておらず、着呼することにより実質的な発呼を行っている。また、発呼端末４０ａでは、通常の端末が備える機能である、着呼した際のユーザへの通知により、実質的な発呼を行ったことがユーザに通知される。上記のように、発呼端末４０ａには、自動的に発呼を行う機能、及び自動発呼を行ったことをユーザに通知するための機能が備えられている必要がない。即ち、本実施形態によれば、従来からの移動通信端末に対する機能追加という点で、位置に応じた自動発呼を容易に実現することができる。
【００４１】
また、本実施形態では、基地局の情報により発呼端末４０ａの大まかな位置を把握しておき、詳細な位置が必要な場合のみにＧＰＳによる測位で発呼端末４０ａの位置情報を取得することができる。本実施形態によれば、詳細な位置に応じた自動発呼を容易に実現することができる。但し、必ずしも上記のような構成をする必要はなく、常にＧＰＳによる測位結果を取得するようにしてもよいし、また、発呼端末４０ａが在圏している基地局の情報を位置情報として、位置判断部１３における判断に用いてもよい。
【００４２】
なお、本実施形態では、通信方式としてＰｏＣが用いられることとしたが、必ずしもＰｏＣが用いられる必要はない。複数の移動通信端末に発呼信号をサーバから送信することによって、それらの端末間に呼接続が確立される通信方式であればどのような通信方式が用いられてもよい。
【図面の簡単な説明】
【００４３】
【図１】本発明の実施形態に係る自動発呼管理サーバの機能構成を示す図である。
【図２】自動発呼システムの記憶部に記憶される情報の例を示す図である。
【図３】本発明の実施形態に係る自動発呼管理サーバのハードウェア構成を示す図である。
【図４】本発明の実施形態に係る自動発呼管理サーバで実行される処理（自動発呼方法）を示すシーケンス図である。
【符号の説明】
【００４４】
１０…自動発呼管理サーバ、１１…記憶部、１２…位置情報取得部、１３…位置判断部、１４…呼接続制御部、１０１…ＣＰＵ、１０２…ＲＡＭ、１０３…ＲＯＭ、１０４…通信モジュール、１０５…補助記憶装置、２０…ＰｏＣサーバ、３０…ＬＭＭＳ、４０…移動通信端末（４０ａ…発呼端末、４０ｂ…着呼端末）。
【図１】
2009094893.tif 000003
【図２】
2009094893.tif 000004
【図３】
2009094893.tif 000005
【図４】
2009094893.tif 000006